(57)【特許請求の範囲】
【請求項１】
高含水率の木材を表面から黒色状に腐朽させる軟腐朽菌が表面において発達した誘導木材と、
前記誘導木材の一方の木口面を露出させた状態で、その外周面及び他方の木口面を覆う非透湿層を少なくとも含むカバー材と、
を備えていることを特徴とするシロアリ誘導装置。
【請求項２】
請求項１において、
前記カバー材は、遮光層を含んでいることを特徴とするシロアリ誘導装置。
【請求項３】
請求項２において、
前記カバー材は、透明な前記非透湿層の外周側に、前記遮光層を設けた構成とされ、該遮光層は、当該シロアリ誘導装置が設置された状態で、当該シロアリ誘導装置内を視認可能とする開口と該開口を開閉する蓋部とを含んでいることを特徴とするシロアリ誘導装置。
【請求項４】
請求項１乃至３のいずれか１項において、
当該シロアリ誘導装置内には、遅効性の殺蟻成分を含む駆除剤を収容する収容空間が設けられていることを特徴とするシロアリ誘導装置。
【請求項５】
請求項１乃至４のいずれか１項に記載のシロアリ誘導装置が、前記一方の木口面を設置対象面に突き合わせた状態で設置されていることを特徴とするシロアリ誘導装置の設置構造。
【請求項６】
請求項５において、
前記カバー材の開口側を密閉するように、開口側周縁部に沿わせて前記設置対象面にペースト状のシール材が密着されていることを特徴とするシロアリ誘導装置の設置構造。
【請求項７】
請求項１乃至４のいずれか１項に記載のシロアリ誘導装置の設置方法であって、
前記誘導木材を水に浸漬させた後に、前記カバー材によって前記外周面及び前記他方の木口面を覆った状態で、該誘導木材の前記一方の木口面を設置対象面に突き合わせて設置することを特徴とするシロアリ誘導装置の設置方法。
【請求項８】
請求項４に記載のシロアリ誘導装置の設置方法であって、
前記駆除剤に前記軟腐朽菌を含む水を付着させた状態で該駆除剤を前記収容空間に収容させ、前記誘導木材の前記一方の木口面を設置対象面に突き合わせて設置することを特徴とするシロアリ誘導装置の設置方法。
【発明の詳細な説明】
【技術分野】
【０００１】
本発明は、シロアリ誘導装置、このシロアリ誘導装置の設置構造及びこのシロアリ誘導装置の設置方法に関する。
【背景技術】
【０００２】
従来より、建物の基礎や柱等のシロアリによる被害を防止すべく、種々のシロアリ防除装置や駆除装置が提案されている。
例えば、下記特許文献１には、褐色腐朽菌によって腐朽させた白あり誘引性能を有する木片に殺虫剤を注入し、この木片を蟻道に置く構成とされた防除方法が開示されている。
【先行技術文献】
【特許文献】
【０００３】
【特許文献１】特開昭５２−４１２２３号公報
【発明の概要】
【発明が解決しようとする課題】
【０００４】
しかしながら、褐色腐朽菌によって腐朽された木材は、ある程度の誘引効果を期待できるものの、担子菌類の発達によりセルロースが分解されて内部からも著しく強度が低下し易くなる傾向があり、シロアリが餌として好まなくなり易い傾向があった。また、木片を露出させた状態であるので、乾燥し易く、また風等の影響を受け易く、シロアリの忌避する環境になり易くなる傾向があった。
【０００５】
本発明は、上記実情に鑑みてなされたものであり、シロアリを効果的に誘導し得るシロアリ誘導装置、このシロアリ誘導装置の設置構造及びこのシロアリ誘導装置の設置方法を提供することを目的としている。
【課題を解決するための手段】
【０００６】
前記目的を達成するために、本発明に係るシロアリ誘導装置は、高含水率の木材を表面から黒色状に腐朽させる軟腐朽菌が表面において発達した誘導木材と、前記誘導木材の一方の木口面を露出させた状態で、その外周面及び他方の木口面を覆う非透湿層を少なくとも含むカバー材と、を備えていることを特徴とする。
【０００７】
また、前記目的を達成するために、本発明に係るシロアリ誘導装置の設置構造は、本発明に係るシロアリ誘導装置が、前記一方の木口面を設置対象面に突き合わせた状態で設置されていることを特徴とする。
【０００８】
また、前記目的を達成するために、本発明に係るシロアリ誘導装置の設置方法は、本発明に係るシロアリ誘導装置の設置方法であって、前記誘導木材を水に浸漬させた後に、前記カバー材によって前記外周面及び前記他方の木口面を覆った状態で、該誘導木材の前記一方の木口面を設置対象面に突き合わせて設置することを特徴とする。
【発明の効果】
【０００９】
本発明に係るシロアリ誘導装置、このシロアリ誘導装置の設置構造及びこのシロアリ誘導装置の設置方法は、上述のような構成としたことで、シロアリを効果的に誘導することができる。
【図面の簡単な説明】
【００１０】
【図１】（ａ）、（ｂ）は、本発明の一実施形態に係るシロアリ誘導装置の一例をそれぞれ模式的に示し、（ａ）は、概略正面図、（ｂ）は、概略斜視図である。
【図２】（ａ）〜（ｃ）は、本発明の一実施形態に係るシロアリ誘導装置の設置方法の一例をそれぞれ模式的に示す一部破断概略正面図である。
【図３】（ａ）、（ｂ）は、本発明の一実施形態に係るシロアリ誘導装置の設置構造の一例をそれぞれ模式的に示し、（ａ）は、概略平面図、（ｂ）は、図２（ｃ）におけるＸ−Ｘ線矢視に対応させた概略横断面図である。
【図４】（ａ）は、同シロアリ誘導装置の設置構造の一例を模式的に示す概略平面図、（ｂ）は、同シロアリ誘導装置の設置構造の一変形例を模式的に示す概略平面図である。
【図５】（ａ）は、本発明の他の実施形態に係るシロアリ誘導装置の一例及びシロアリ誘導装置の設置構造の一例を模式的に示す図３（ｂ）に対応させた概略横断面図、（ｂ）は、本発明の他の実施形態に係るシロアリ誘導装置の設置方法の一例を模式的に示す概略フローチャートである。
【発明を実施するための形態】
【００１１】
以下に、本発明の実施の形態について、図面を参照しながら説明する。
図１〜図４は、第１実施形態に係るシロアリ誘導装置の一例、このシロアリ誘導装置の設置構造の一例及び一変形例並びにこのシロアリ誘導装置の設置方法の一例を模式的に示す図である。
【００１２】
本実施形態に係るシロアリ誘導装置１は、図１（ａ）、（ｂ）及び図３（ｂ）に示すように、高含水率の木材を表面から黒色状に腐朽させる軟腐朽菌が表面において発達した誘導木材１０を備えている。このような構成とすれば、担子菌類の発達によりセルロース等が分解されて内部からも著しく強度が低下し易くなる傾向がある白色腐朽菌や褐色腐朽菌によって腐朽された木材と比べて、強度が低下し難く、また、木材内部への腐朽が遅い傾向があるため、シロアリの好む硬さを長期間に亘って持続させることができ、巣としても活用され易くすることができる。また、木材内部に菌糸や傘が形成され難いので、これらの発達により誘導木材１０内に形成された通路が塞がれるようなことも抑制することができる。
【００１３】
また、シロアリ誘導装置１は、この誘導木材１０の一方の木口面としての第１木口面１２，１６を露出させた状態で、その外周面１４，１８及び他方の木口面としての第２木口面１３，１７を覆う非透湿層２１を少なくとも含むカバー材２０を備えている。このような構成とすれば、露出させた第１木口面１２，１６を、図３（ａ）、（ｂ）に示すように、蟻道６が形成された設置対象面３に向けて設置することで、誘導木材１０が乾燥し難く、また、当該シロアリ誘導装置１内への風等の影響を受け難くすることができ、当該シロアリ誘導装置１内をシロアリの好む高湿で密閉度の高い環境にすることができる。また、第１木口面１２，１６を設置対象面３に向けることで、シロアリの好む木口面に対してシロアリの触角を触れ易くすることができ、効果的に当該シロアリ誘導装置１内にシロアリを誘導することができる。
【００１４】
このシロアリ誘導装置１の設置対象面３を構成する設置対象２としては、建物の基礎や柱、壁面、床下地等の各種下地、断熱材等、どのようなものでもよい。図２では、設置対象２として、上下方向に長尺状の柱を例示している。また、設置対象面３としては、設置対象２の一側面を構成するものでもよく、略平坦面状とされたものでもよい。また、設置対象面３としては、シロアリによって蟻道６が形成されている箇所が好ましい。
また、このシロアリ誘導装置１に誘導されるシロアリとしては、ヤマトシロアリやイエシロアリなどのいわゆる土壌性シロアリであってもよく、アメリカカンザイシロアリやダイコクシロアリなどのいわゆる乾材シロアリであってもよく、その他、種々のシロアリであってもよい。
【００１５】
誘導木材１０は、略柱状とされている。この誘導木材１０の第１木口面１２，１６は、概ね平坦面状とされている。また、図例では、第２木口面１３，１７も概ね平坦面状とした例を示している。また、誘導木材１０の外周面１４，１８は、略全周に亘って湾曲面状とされている。本実施形態では、この誘導木材１０を、略円柱状としている。また、図１（ａ）、（ｂ）に示すように、複数の誘導木材としての第１誘導木材１１と第２誘導木材１５とによって略円柱状の誘導木材１０を構成している。これら第１誘導木材１１及び第２誘導木材１５は、軸方向（第１木口面１２，１６から第２木口面１３，１７に沿う方向）に沿う寸法が互いに略同寸法とされている。また、本実施形態では、これら第１誘導木材１１及び第２誘導木材１５を、略半円柱状としている。図例では、これら第１誘導木材１１及び第２誘導木材１５を、軸方向に見て略同寸同形状とした例を示しているが、このような態様に限られない。
【００１６】
また、図例では、これら第１誘導木材１１及び第２誘導木材１５が突き合わせられた状態で形成される略円柱状の軸心部に、軸方向に貫通する中空部を設けた例を示している。このような構成とすれば、第１誘導木材１１及び第２誘導木材１５の表面積を大きくすることができる。なお、このような中空部を設けていない構成としてもよい。
また、図例では、これら第１誘導木材１１及び第２誘導木材１５によって構成される誘導木材１０を、軸方向に見て真円状で、軸方向の全体に亘って同径状のものとした例を示しているが、このような態様に限られない。例えば、誘導木材１０を、軸方向に見て楕円状としたり、略多角形状等としたりしてもよく、また、軸方向一方側に向かうに従い先細状とされたものや軸方向途中部位において大径部や小径部等が設けられたものであってもよい。誘導木材１０の形状としては、その他、種々の形状とされたものであってもよい。
【００１７】
また、この誘導木材１０の軸方向に沿う寸法や外径（直径）は、設置箇所や設置対象面３の大きさ等に応じて、また、取扱性や設置性の観点、シロアリの誘導性や営巣性の観点等から適宜の寸法としてもよい。例えば、この誘導木材１０の軸方向に沿う寸法を、５０ｍｍ〜３００ｍｍ程度としてもよく、好ましくは、１００ｍｍ〜２００ｍｍ程度としてもよい。また、この誘導木材１０の外径を、３０ｍｍ〜１５０ｍｍ程度としてもよく、好ましくは、５０ｍｍ〜１００ｍｍ程度としてもよい。
また、この誘導木材１０は、シロアリが忌避しない非忌避性の木材とされている。このような非忌避性の木材としては、松や杉、桜、柳、アスペン等が挙げられるが、他の木材であってもよい。
【００１８】
また、この誘導木材１０の表面において発達される軟腐朽菌は、白色腐朽菌や褐色腐朽菌によっては腐朽し難い高含水率の木材を、その表面から腐朽させる構成とされている。この軟腐朽菌は、含水率（乾量基準含水率）が１００％以上の木材を腐朽させるものであってもよく、一般的に土中に存在するものであってもよい。また、このような軟腐朽菌は、白色腐朽菌や褐色腐朽菌よりも分解力が弱く、木材を表面から腐朽させ、上記のような外径の木材であれば、内部（心部）まで腐朽させるのに、１年以上を要するものであってもよい。
誘導木材１０は、このような軟腐朽菌を含む水に高含水率の木材を浸漬させることで軟腐朽菌が表面において発達されたものでもよい。また、誘導木材１０は、例えば、山野等で得られた軟腐朽菌によって腐朽された腐朽木材と、誘導木材１０となる木材と、を同じ容器や収容袋内において水に浸漬させることで軟腐朽菌が表面において発達されたものでもよい。また、誘導木材１０は、数か月程度、上記のような水に浸漬させることで作製されたものであってもよい。上記のような軟腐朽菌が表面において発達した誘導木材１０を作製する態様としては、その他、種々の態様とされたものでもよい。
【００１９】
カバー材２０は、本実施形態では、遮光層２４を含んでいる。このような構成とすれば、明るい場所に設置する場合にも、シロアリが忌避する光が当該シロアリ誘導装置１内に入り難くなり、当該シロアリ誘導装置１内をシロアリの好む環境にすることができる。
この遮光層２４は、非透湿層２１としても機能して非透湿層２１を兼用するものであってもよいが、本実施形態では、非透湿層２１とは別体的に設けられている。
【００２０】
非透湿層２１は、湿気を通過させない、または通過させ難い構成とされている。この非透湿層２１は、湿気に加え、空気を通過させない、または通過させ難い構成とされた非通気層であることが好ましい。
この非透湿層２１は、誘導木材１０の第２木口面１３，１７を覆う端面覆い部２２と、誘導木材１０の外周面１４，１８を覆う外周覆い部２３と、を備えている。この非透湿層２１は、誘導木材１０の外周面１４，１８との間に僅かな隙間（１ｍｍ〜３ｍｍ程度）を設けて設けられたものでもよく、外周面１４，１８に対して隙間が１ｍｍ未満となるように略密着状に設けられたものであってもよい。
また、この非透湿層２１は、透明とされている。ここに非透湿層２１の透明度合は、非透湿層２１を介して内部の視認（シロアリの有無の確認）が可能な程度であればよく、有色透明であってもよく、半透明であってもよい。
【００２１】
また、この非透湿層２１は、例えば、ポリ塩化ビニリデンや、ポリエチレンテレフタレート、ポリカーボネート、アクリル樹脂等の透明な合成樹脂系材料から形成されたものであってもよい。また、非透湿層２１は、フィルム状とされたものであってもよい。この場合は、非透湿層２１を構成する端面覆い部２２及び外周覆い部２３の一部または全部が複数層状に形成されたものであってもよい。または、非透湿層２１は、シート状若しくは板状とされた端面覆い部２２の外周縁部から軸方向一方側に向けて一連状に筒状の外周覆い部２３が設けられた一方向に開口する有底筒状の容器状とされたものであってもよい。非透湿層２１としては、その他、種々の構成とされたものであってもよい。また、非透湿層２１の外周覆い部２３と誘導木材１０の外周面１４，１８との間に形成される隙間に、シロアリの非忌避性の透明ジェル状材料等を充填した構成等としてもよい。
【００２２】
遮光層２４は、光を透過させない、または透過させ難い構成とされている。この遮光層２４は、本実施形態では、非透湿層２１の外周側に設けられている。また、遮光層２４は、図４（ａ）に示すように、当該シロアリ誘導装置１が設置された状態で、当該シロアリ誘導装置１内を視認可能とする開口２８と開口２８を開閉する蓋部２７とを含んでいる。このような構成とすれば、シロアリ誘導装置１を設置対象２から取り外すことなく、当該シロアリ誘導装置１内を確認することができる。また、遮光層２４を透明な非透湿層２１の外周側に設けているので、当該シロアリ誘導装置１内を確認する際に外気等が当該シロアリ誘導装置１内に侵入し難い。これらにより、当該シロアリ誘導装置１内にシロアリが存在しているような場合にも、シロアリにストレスを与え難く、シロアリが警戒するようなことを抑制することができる。
【００２３】
この遮光層２４は、非透湿層２１の端面覆い部２２の外側（誘導木材１０の軸方向外側）を覆うように設けられた端面覆い部２５と、非透湿層２１の外周覆い部２３の外周側を覆うように設けられた外周覆い部２６と、を備えている。この遮光層２４は、非透湿層２１との間に僅かな隙間（１ｍｍ〜３ｍｍ程度）を設けて設けられたものでもよく、非透湿層２１に対して隙間が１ｍｍ未満となるように略密着状に設けられたものであってもよい。
また、この遮光層２４は、アルミニウム等の金属系材料から形成されたものであってもよく、また、遮光性の良好な顔料等を含む合成樹脂系材料から形成されたものであってもよい。また、この遮光層２４は、フィルム状（箔状）とされたものであってもよく、例えば、アルミ箔によって構成されたものでもよい。この場合は、上記同様、遮光層２４を構成する端面覆い部２５及び外周覆い部２６の一部または全部が複数層状に形成されたものであってもよい。
【００２４】
また、遮光層２４を、一部を容易に剥離したり、再度、覆ったりし易いアルミ箔等からなるものとした場合には、一部を剥離することで開口２８を形成したり、剥離させた部分を蓋部２７としたりしてもよい。図例では、遮光層２４の外周覆い部２６の一部を片持ち状に剥離させて蓋部２７とし、開口２８を形成した例を示しているが、このような態様に限られない。この蓋部２７は、外周覆い部２６に対して一部が剥離されることなく開き戸状に開閉自在とされたものに限られず、外周覆い部２６に対して着脱可能とされたものでもよい。
【００２５】
また、遮光層２４は、上記のような態様に代えて、シート状若しくは板状とされた端面覆い部２５の外周縁部から軸方向一方側に向けて一連状に筒状の外周覆い部２６が設けられた一方向に開口する有底筒状の容器状とされたものであってもよい。この場合は、例えば、外周覆い部２６の一部に設けられた開口２８を開閉する蓋部２７を別体的に設けた構成等としてもよい。また、この場合は、蓋部２７を、外周覆い部２６に対してスライド自在に設けたり、回転自在に設けたりしてもよく、更には、着脱自在に設けた態様等としてもよい。遮光層２４としては、その他、種々の構成とされたものであってもよい。また、カバー材２０としては、別体とされた非透湿層２１と遮光層２４とを含むものに限られず、遮光層２４が非透湿層２１を兼用するものであってもよい。また、シロアリ誘導装置１の設置箇所が暗所である場合には、カバー材２０としては、遮光層２４を含んでいない構成とされたものでもよい。カバー材２０としては、その他、種々の構成とされたものであってもよい。なお、当該シロアリ誘導装置１の流通過程等において、誘導木材１０が乾燥しないように、第１木口面１２，１６側を着脱可能に覆う覆い部を設けた構成等としてもよい。
【００２６】
上記のような構成とされたシロアリ誘導装置１は、例えば、以下のようにして設置するようにしてもよい。
まず、誘導木材１０を水に浸漬させた後に、カバー材２０によって外周面１４，１８及び第２木口面１３，１７を覆った状態で、誘導木材１０の第１木口面１２，１６を設置対象面３に突き合わせて設置するようにしてもよい（図５（ｂ）のステップＳ１００及びステップＳ１０３参照）。このような構成とすれば、誘導木材１０を効果的に高含水率状態にすることができ、設置後の当該シロアリ誘導装置１内をより効果的に高湿の雰囲気にすることができる。誘導木材１０を水に浸漬させる時間は、数分程度でもよく、数時間程度でもよく、数日程度でもよい。なお、このように誘導木材１０を水に浸漬させる態様に代えて、誘導木材１０に適宜の噴霧装置によって水を噴霧する態様としてもよく、または、元の木材が上記のように高含水率であることから、設置前に水を付着させることなくカバー材２０によって覆った状態で設置するようにしてもよい。
【００２７】
上記のように設置されれば、シロアリ誘導装置１が第１木口面１２，１６を設置対象面３に突き合わせた状態で設置された構造となる。
また、上記のようにシロアリ誘導装置１を設置する前に、図２（ａ）、（ｂ）に示すように、蟻道６の一部を除去し、図２（ｃ）に示すように、この除去された側の第１端部７と第２端部８とに跨るようにシロアリ誘導装置１を設置するようにしてもよい。このような構成とすれば、蟻道６を通って除去された箇所に出てくるシロアリの触角を、誘導木材１０の第１木口面１２，１６に対して効果的に接触させることができる。蟻道６を除去する寸法は、除去された側の第１端部７及び第２端部８がカバー材２０内に位置するように、カバー材２０の内径よりも小さい寸法としてもよい。
【００２８】
また、蟻道６の第１端部７及び第２端部８に誘導木材１０を重ね合わせれば、図３（ｂ）に示すように、蟻道６によって誘導木材１０の第１木口面１２，１６と設置対象面３との間に僅かな隙間が形成される場合もあるが、この隙間は、３ｍｍ以下としてもよく、好ましくは、２ｍｍ以下としてもよい。または、このような隙間が形成され難くなるように、蟻道６の第１端部７及び第２端部８を受け入れる凹所を誘導木材１０の第１木口面１２，１６に設けた構成等としてもよい。
また、図例では、蟻道６の一部が設置対象２側にも形成されているような例を示しているが、このような態様に限られない。また、図例では、蟻道６が設けられていた箇所に誘導木材１０の略軸心部を一致させるようにシロアリ誘導装置１を設置した例を示しているが、このような態様に限られない。
【００２９】
そして、図３（ａ）、（ｂ）に示すように、カバー材２０の開口側を密閉するように、開口側周縁部に沿わせて設置対象面３にペースト状のシール材９を密着させるようにしてもよい。このように設置されれば、カバー材２０の開口側を密閉するように、開口側周縁部に沿わせて設置対象面３にペースト状のシール材９が密着された構造となる。このような構成とすれば、シロアリ誘導装置１内の密閉度を簡易な構造で向上させることができる。また、このシール材９によってシロアリ誘導装置１を設置対象面３に固定する構造とすれば、螺子や釘等を用いて固定する構造と比べて、容易に設置でき、また、位置調整等も容易に行うことができる。
【００３０】
このシール材９は、非透湿性で、かつ遮光性を有した構成とされている。また、このシール材９は、不乾性のいわゆるシールパテであってもよい。このような構成とすれば、設置対象面３やシロアリ誘導装置１の外周形状に応じて手作業で容易にかつ比較的に確実に密着させることができる。また、シロアリ誘導装置１を取り外す際にも比較的に容易に取り外すことができる。また、シール材９は、シロアリによって食害され難いように防蟻成分を含むものであってもよい。また、カバー材２０の開口側を密閉する密閉部材としては、上記のようなペースト状のシール材９に代えて、適宜の粘着テープ等の密封テープや、いわゆるコーキングガンによって吐出されるシーリング材（コーキング材）等であってもよい。更には、このような密閉部材を設けずに、ねじや釘等によってシロアリ誘導装置１を設置対象面３に対して略密着させた状態で固定するようにしてもよい。
【００３１】
図３（ａ）、（ｂ）及び図４（ａ）では、幅寸法がシロアリ誘導装置１の外径よりも大とされた設置対象面３に対してシロアリ誘導装置１を設置した例を示したが、図４（ｂ）に示すように、幅寸法がシロアリ誘導装置１の外径よりも小さい設置対象面３Ａに設置することも可能である。図４（ｂ）では、設置対象２Ａの設置対象面３Ａと、この設置対象面３Ａに対して直交状に設けられた隣接面５と、の入隅部に沿わせるようにシロアリ誘導装置１を設置した例を示している。このような場合には、誘導木材１０の第１木口面１２，１６の一部を、設置対象面３Ａの蟻道６に応じた位置となるように突き合わせ、第１木口面１２，１６の設置対象面３Ａに突き合わせられない他の部位をも覆うように、シール材９Ａを設けた構成としてもよい。図例では、設置対象面３Ａに直交状とされた設置対象２Ａの他の側面４にも密着させるようにシール材９Ａを設けた例を示している。
【００３２】
なお、第１木口面１２，１６の設置対象面３Ａに突き合わせられない他の部位を、他の密閉部材や蓋部材等によって覆う構成としてもよい。
また、当該シロアリ誘導装置１の設置態様としては、上記したような態様に限られず、設置対象面３，３Ａの形状や蟻道６が設けられた箇所等に応じて、種々の設置態様の採用が可能である。また、複数のシロアリ誘導装置１を、蟻道６の長手方向に間隔を空けて設置するようにしてもよい。
【００３３】
次に、本発明に係るシロアリ誘導装置の他の実施の形態、このシロアリ誘導装置の設置構造及びこのシロアリ誘導装置の設置方法について、図５を参照して説明する。
なお、以下の実施形態では、先に説明した実施形態との相違点について主に説明し、同様の構成については、同一符号を付し、その説明を省略または簡略に説明する。また、先に説明した実施形態と同様に奏する作用効果についても説明を省略または簡略に説明する。
【００３４】
図５（ａ）、（ｂ）は、第２実施形態に係るシロアリ誘導装置の一例、このシロアリ誘導装置の設置構造の一例及びこのシロアリ誘導装置の設置方法の一例を模式的に示す図である。
本実施形態では、シロアリ誘導装置１Ａは、図５（ａ）に示すように、当該シロアリ誘導装置１内に、遅効性の殺蟻成分を含む駆除剤１９を収容する収容空間２９を設けた構成とされている。このような構成とすれば、収容空間２９に駆除剤１９を収容させた状態で設置すれば、上記のようにシロアリを効果的に誘導することができるので、シロアリに駆除剤１９を効果的に摂食させることができる。
【００３５】
本実施形態では、誘導木材１０Ａを、上記第１実施形態のシロアリ誘導装置１の誘導木材１０を構成する第１誘導木材１１及び第２誘導木材１５のうちの一方（図例では、第２誘導木材１５）のみから構成し、カバー材２０によって囲まれた残余の空間を、収容空間２９としている。つまり、収容空間２９は、当該シロアリ誘導装置１Ａの軸方向一方側において開口し、かつカバー材２０と第２誘導木材１５とによって区画されている。なお、このような態様に代えて、上記した中空部を、駆除剤１９を収容する収容空間２９としてもよく、収容空間２９としては、その他、種々の構成とされたものであってもよい。
【００３６】
駆除剤１９は、当該シロアリ誘導装置１Ａ内に辿り着いたシロアリの職蟻が摂食して直ちに死に至ることなく帰巣して他のシロアリに駆除剤１９を分け与えて摂食させられるような遅効性を有した殺蟻成分を含む餌材であってもよい。この駆除剤１９としては、有効成分としてビストリフルロンやノバフルムロン等のシロアリの脱皮を阻害する成長制御剤を、餌材となる木材や紙等のセルロース系基材に注入や含浸させたり、木粉と混合したりして形成されたものであってもよい。また、このような駆除剤１９としては、いわゆるベイト剤として一般に市販されているものでもよい。また、駆除剤１９は、上記した収容空間２９を区画するカバー材２０及び第２誘導木材１５との間に上記のような僅かな隙間を介して、またはカバー材２０及び第２誘導木材１５に対して略密着するように収容空間２９に充填することが好ましい。また、駆除剤１９は、設置対象面３との間に上記のような僅かな隙間を介して、または設置対象面３に対して略密着するように収容空間２９に充填することが好ましい。また、駆除剤１９としては、その他、種々の構成とされたものであってもよい。
【００３７】
上記のような構成とされたシロアリ誘導装置１Ａは、例えば、図５（ｂ）に示すように、以下のようにして設置するようにしてもよい。
まず、上記第１実施形態と概ね同様、誘導木材１０Ａ（第２誘導木材１５）を、水に浸漬させる（ステップＳ１００）。そして、駆除剤１９に、上記した軟腐朽菌を含む水を付着させた状態で駆除剤１９及び誘導木材１０Ａをカバー材２０に収容させ、誘導木材１０Ａの第１木口面１６を設置対象面３に突き合わせて設置するようにしてもよい（ステップＳ１０１〜Ｓ１０３）。このような構成とすれば、駆除剤１９にシロアリの好む軟腐朽菌を付着させることができるので、シロアリに駆除剤１９をより効果的に摂食させることができる。
【００３８】
駆除剤１９に軟腐朽菌を含む水を付着させる際には、軟腐朽菌を含む水に駆除剤１９を浸漬させたり、駆除剤１９に対して軟腐朽菌を含む水を噴霧したりして付着させるようにしてもよい。なお、駆除剤１９に、このような軟腐朽菌を含む水を付着させない構成としてもよい。また、カバー材２０への収容は、駆除剤１９及び誘導木材１０Ａを同時に収容させるようにしてもよく、一方を収容させてから他方を収容させるようにしてもよい。
また、上記第１実施形態と同様、カバー材２０の開口側を密閉するように、開口側周縁部に沿わせて設置対象面３にペースト状のシール材９を密着させるようにしてもよい。
なお、上記各実施形態において説明した各シロアリ誘導装置１，１Ａや、シロアリ誘導装置の設置構造、シロアリ誘導装置の設置方法は、一例に過ぎず、種々の変形が可能である。
【符号の説明】
【００３９】
１，１Ａ      シロアリ誘導装置
１０，１０Ａ  誘導木材
１２，１６    第１木口面（一方の木口面）
１３，１７    第２木口面（他方の木口面）
１４，１８    外周面
１９          駆除剤
２０          カバー材
２１          非透湿層
２４          遮光層
２７          蓋部
２８          開口
２９          収容空間
３，３Ａ      設置対象面
９，９Ａ      シール材
【要約】
【課題】シロアリを効果的に誘導し得るシロアリ誘導装置、このシロアリ誘導装置の設置構造及びこのシロアリ誘導装置の設置方法を提供する。
【解決手段】シロアリ誘導装置１は、高含水率の木材を表面から黒色状に腐朽させる軟腐朽菌が表面において発達した誘導木材１０と、前記誘導木材の一方の木口面１２，１６を露出させた状態で、その外周面１４，１８及び他方の木口面１３，１７を覆う非透湿層２１を少なくとも含むカバー材２０と、を備えている。
【選択図】図１【図１】
0006618102.tif 000002
【図２】
0006618102.tif 000003
【図３】
0006618102.tif 000004
【図４】
0006618102.tif 000005
【図５】
0006618102.tif 000006